(57)【要約】      （修正有）【課題】硬度成分イオンで飽和した家庭用軟水器中の陽イオン交換樹脂を効率よく再生する事のできる軟水器再生システムを提供する。【解決手段】陽イオン交換樹脂を入れるハウジングは、塩水の注入口と出口を有し、再生時には塩水の入った再生用容器に水中ポンプを入れ水中ポンプから配管部材により注入口に塩水を流し出口から出す。この行程を繰り返し循環しながら塩水により陽イオン交換樹脂を再生する。ここで、塩水を循環する事により陽イオン交換樹脂は効率良く再生する。水中ポンプを使用することにより、再生効率が高い小型で安価な製品が提供できる。陽イオン交換樹脂の再生後、再生用容器と水中ポンプは、接続部材の使用で別途収納でき本体より取り外して保管できる。洗面所等狭い場所でも設置が可能になった。【選択図】図１
0003114317.tif 000002
【実用新案登録請求の範囲】
【請求項１】
陽イオン交換樹脂と塩水を循環する注入口と出口を有したハウジングと塩水を貯める再生用容器と再生用容器内に設置する水中ポンプを有する軟水器において、水中ポンプとハウジングを配管部材と接続部材により接続した事を特徴とする軟水器再生システム。
【請求項２】
上記システムにおいてハウジングの注入口に逆止弁付き接続部材を有した請求項１に記載の軟水再生システム。
【請求項３】
上記システムにおいて水道水とハウジングの注入口の間に切換えるコックを有する事を特徴とする請求項１および２に記載の軟水再生システム。
【請求項４】
上記システムにおいてハウジングの注入口が逆止弁付き接続部材であり、接続部材は脱着が可能な請求項１から３に記載の軟水再生システム。
【請求項５】
上記システムにおいて水中ポンプに使用する材料が、塩水に接する部材が樹脂およびステンレス鋼およびチタン鋼の１つもしくは組み合わせでできている事を特徴とする請求項１から４に記載の軟水再生システム。
【考案の詳細な説明】
【考案の詳細な説明】
【考案の属する利用分野】
【０００１】  本考案は陽イオン交換樹脂を使用して水道水を軟水にする装置に関する。
【背景技術】
【０００２】  従来、水道水を軟水にする装置において、陽イオン交換樹脂の再生には小型の装置では、容器内に塩もしくは塩水を入れて循環せずに塩水を流し陽イオン樹脂を再生している。
一方大型の装置では、陽イオン樹脂を入れた容器と塩水を循環するポンプと塩水用タンクを有し再生時塩水を連続循環して陽イオン交換樹脂を再生している。
【考案が解決しようとする課題】
【０００３】  従来、小型の装置では塩もしくは塩水をイオン交換樹脂の入った容器に入れて循環せず浸漬だけを行い陽イオン交換樹脂を再生しているが、再生効率が悪いという問題点があった。
また、大型の装置では、装置にポンプと専用の塩水を入れる密閉可能なタンクが固定で配管されている。この方式では塩水を循環させる事により、再生効率は良いが設置スペースが広くなる事と装置が高価になる問題点があった。
【０００４】  本考案は、水道水を軟水にする小型装置かつ再生に水中ポンプと再生用容器が取りつけられ、塩水を循環させながら陽イオン樹脂を再生させる。水中ポンプを使用することにより安価で小型の製品を供給する事である。
また、再生後、軟水を製造する時には水中ポンプと再生用容器が取り外し可能であり、より小型な陽イオン交換樹脂の再生効率が良いシステムを提供することである。
【課題を解決するための手段】
【０００５】  本考案は、陽イオン交換樹脂を使用した水道水を軟水にする装置において、安価で小型にする装置を可能にした。
【０００６】  イオン交換樹脂を効率よく再生し安価にするために、塩水を入れた再生用容器内に水中ポンプを入れ、陽イオン交換樹脂を入れたハウジングと水中ポンプを配管部材と接続部材で接続し、ハウジングの注入口よりハウジング内に塩水を入れる。塩水はハウジング出口より排出される。排出された塩水は塩水の再生用容器戻る。このようにして塩水はイオン交換樹脂を循環しながら効率良く再生させる。
【０００７】  より好ましくは、陽イオン交換樹脂を入れたハウジングと水中ポンプは逆止弁を有する接続部品により接続され、脱着を容易にしている。特に、逆止弁がハウジング側に設けることにより、配管を外してもキャップなしにハウジングを密閉でき、操作性を向上させている。陽イオン交換樹脂を再生する時以外は、水中ポンプと再生用容器は取り外して別途収納ができ、洗面所等狭い場所にも装置を設置できる。
【０００８】  水中ポンプの塩水に接する部材は、樹脂あるいはステンレス鋼やチタン鋼を使用して、塩水による腐食されない材料を使用している。塩水による腐食を抑えることができ、装置の寿命が向上すると供に衛生的である。
【考案を実施するための最良の形態】
【０００９】  以下に、本考案における軟水器再生システムの実施形態を実施例に従って説明する。図１は、陽イオン交換樹脂１を入れたハウジング２のメス型の逆止弁を内蔵したワンタッチ接続部材を有した注入口３にオス型のワンタッチで脱着できる接続部材６と配管部材５を接続し、配管部材５の反対側には水中ポンプ７と接続した。水中ポンプ７は塩水１０の入った再生用容器８の底部に設置される。水中ポンプ７を稼動させハウジング２内の陽イオン交換樹脂１に塩水１０を流し、塩水１０はハウジング２の出口４より再生用容器８に排出される。塩水１０の循環により陽イオン交換樹脂１は効率良く再生される。【００１０】  再生効率の比較
図１での発明の実施方法と陽イオン交換樹脂１を入れたハウジング２に塩水を入れ循環しない時の再生効率の比較を行った。
この時の塩水の濃度は１０％である。
0003114317.tif 000003
再生効率は、バージンの樹脂の能力を１００％としている。再生回数は１回目塩水を循環させると再生効率が著しく向上する。【００１１】  図２は、陽イオン交換樹脂１を入れたハウジング２の注入口３に配管部材５と切換えコック２０を用い接続し、配管部材５の反対側には水中ポンプ７を接続した実施例である。水中ポンプ７は塩水の入った再生用容器８の底部に設置される。水中ポンプ７を稼動させハウジング２内の陽イオン交換樹脂１に塩水１０を流し、塩水１０はハウジング２の出口４より再生用容器８に排出される。塩水１０の循環により陽イオン交換樹脂１は効率良く再生される。
【考案の効果】
【００１２】  本考案は、以上説明したように構成されているので、以下に記載されるような効果がある。
【００１３】  陽イオン交換樹脂に塩水を浸漬さえるだけでは効率的な再生はできず、水中ポンプにより、塩水を循環させる事で効率良く陽イオン交換樹脂を再生ができる。
【００１４】  また、水中ポンプを使用する事による大掛かりな配管と塩水を貯める密閉容器が不要となり小型化され安価な装置が提供できるようになった。そして再生完了後、水中ポンプと再生用容器を取り外し、より装置の設置スペースを小型化できた。また、接続部品に逆止弁を内蔵させることにより、取り外した接続部品にキャップをする事なしに水道水を流すことができ、操作性を向上する事ができた。
【図面の簡単な説明】
【００１５】
【図１】逆止弁を内蔵したワンタッチ接続部材を用いて装置を組んだ時のシステム
【図２】切換えコックを使用した時のシステム
【符号の説明】
【００１６】  １    陽イオン交換樹脂
２    ハウジング
３    注入口
４    出口
５    配管部材
６    接続部材
７    水中ポンプ
８    再生用容器
１０    塩水
２０    切換えコック
【図１】
0003114317.tif 000004
【図２】
0003114317.tif 000005